(57)【要約】【課題】    本発明が解決しようとする課題は、任意の物１０１を含めた空中浮遊装置を空気中での浮遊力と重力をバランスして浮遊させて、かつ浮遊時の姿勢を整え、室内空気の温度の上下変化や空気の流れに応じて浮遊して移動できるようにすること、である。【解決手段】  本発明は、ビニール等の軽量な薄い膜で風船を構成し、その風船にヘリウムガスを注入して密封して空気中で浮遊上昇させる手段と、風船に任意の物１０１を固定するための固定装置を装備した手段と、かつ風船の浮遊力と任意の物１０１を含めた全体の重力との力の差をほぼゼロに調節するように錘を着脱するための錘の着脱装置を１個以上装備した手段とで、任意の物１０１を含めた空中浮遊装置を空気中での浮遊力と重力をバランスして浮遊させて室内空気の温度の上下変化や空気の流れに応じて浮遊して移動できるようにする課題を解決した。【選択図】図１
2007160026.tif 000002
【特許請求の範囲】
【請求項１】
ビニール等の軽量な薄い膜で風船を構成し、その風船にヘリウムガスを注入して密封して空気中で浮遊上昇させる手段と、風船に任意の物１０１を固定するための固定装置を装備した手段と、かつ風船の浮遊力と任意の物１０１を含めた全体の重力との力の差をほぼゼロに調節するように錘を着脱するための錘の着脱装置を１個以上装備した手段を特徴とした空中浮遊装置。
【請求項２】
上記空中浮遊装置において、単数もしくは複数の風船と単数もしくは複数の固定装置と単数もしくは複数の錘着脱装置で装備して、任意の物１０１を含めた浮遊物全体の重力と浮遊力との差に対応した重さとほぼ等しい総量の錘を、重さのバランスがとれて安定した適切な姿勢になるように個々の錘着脱装置に錘の量を配分して着脱することで全体のバランスを調整して、空中での浮遊姿勢を整える手段を特徴とした空中浮遊装置。
【発明の詳細な説明】
【技術分野】
【０００１】  本発明は、任意の軽量なものを空気中に浮遊移動させるための空中浮遊移動装置に関する。
【背景技術】
【０００２】  従来の技術では、空中浮遊するものとして、特定のものを前提とした浮遊するものがある（例えば、特許文献１参照。）。この技術は、軽量な芳香剤を浮遊させるもので、任意の軽量な物体を浮遊させるものではない。また、空中に浮遊している物全体の重さを調整する機能やその浮遊の姿勢を制御する機能はない。【０００３】  また従来の技術では、空中浮遊するものとして特定のもののみが浮遊するものもある（例えば、特許文献２参照。）。この技術は、任意の軽量な物体を浮遊させるものではない。【０００４】  また従来の技術では、空中浮遊するものとして人間を浮遊させるものがある（例えば、特許文献３参照。）。この技術は、任意の軽量な物体を浮遊させるものではない。かつ人間を浮遊させるための上昇気流発生手段が必要であり、室内での軽量のものの浮遊には適しない。
【特許文献１】実用新案出願平６−９３０４号公報
【特許文献２】特許出願２００４−３３１７号公報
【特許文献３】特許出願平８−２０００４号公報
【発明の開示】
【発明が解決しようとする課題】
【０００５】  本発明が解決しようとする課題は、任意の物１０１を含めた空中浮遊装置を空気中での浮遊力と重力をバランスして浮遊させて、かつ浮遊時の姿勢を整え、室内空気の温度の上下変化や空気の流れに応じて浮遊して移動できるようにすること、である。【０００６】  従来は、動力や風がない状態で空中に浮遊する物としては、セシウムガスや水素ガスが入ったゴム風船やセシウムガスが入ったアドバルーンがある。但しこれらは、紐で結ばれて人の手や建物に固定されていた。この場合のゴム風船やアドバルーンは固定されており、強い風が無いところで任意の物１０１を含めた全体の重力と浮遊力との差をほぼ零に調整して浮遊させて、室温の変化や室内の空調の風などで浮遊移動させることはできなかった。さらに浮遊時の姿勢は、ゴム風船やアドバルーンの形状と紐の位置によって決定されていた。【０００７】  また、飛行船や熱気球は、それらに人が乗っており、上昇・下降や移動を人がそのつど制御していた。本発明では、人が乗って制御するような手段は必要ではない。
【発明が解決するための手段】
【０００８】  本発明は、ビニール等の軽量な薄い膜で風船を構成し、その風船にヘリウムガスを注入して密封して空気中で浮遊上昇させる手段と、風船に任意の物１０１を固定するための固定装置を装備した手段と、かつ風船の浮遊力と任意の物１０１を含めた全体の重力との力の差をほぼゼロに調節するように錘を着脱するための錘の着脱装置を１個以上装備した手段で、任意の物１０１を含めた空中浮遊装置を空気中での浮遊力と重力をバランスして浮遊させて室内空気の温度の上下変化や空気の流れに応じて浮遊して移動できるようにする課題を解決した。
【０００９】  また、本発明の空中浮遊装置において、単数もしくは複数の風船と単数もしくは複数の固定装置と単数もしくは複数の錘着脱装置で装備して、任意の物１０１を含めた浮遊物全体の重力と浮遊力との差に対応した重さとほぼ等しい総量の錘を、重さのバランスがとれて安定した適切な姿勢になるように個々の錘着脱装置に錘の量を配分して着脱することで全体のバランスを調整して、空中での浮遊姿勢を整える手段で、任意の物１０１を含めた空中浮遊装置の全体の姿勢を整える課題を解決した。
【発明の効果】
【００１０】  本発明は、一定以下の大きさで軽量なものであれば、任意の物１０１を含めた全体の重さを調整して空中に浮遊させることができ、かつ浮遊姿勢を錘の位置と量で調整できる。これによって、任意の物１０１を見え易い様に浮遊姿勢を整えて浮遊させることができる。例えば、室内の天井部分の空気温度を下部より一度下げておけば浮遊装置はゆっくりと天井と下部との間を上下する。かつ室内の空気をゆっくりと流せば、流れに応じて浮遊して移動させるようにすることができる。
【発明を実施するための最良の形態】
【実施例】
【００１１】  本発明の図１に実施例１の空中浮遊装置を示す。例えば、１００は風船の外径が約６０ｃｍ、内径が約４０ｃｍ、高さが約５０ｃｍの浮き輪の形状の袋をビニールで構成してその袋にヘリウムガスを注入して密封して構成した浮き輪の形状の風船であり、１１０は浮き輪の形状の内径部分に点対象に接続された３個のひもを用いた固定装置であり、１２０は浮き輪の形状の外側部分に錘着脱装置として装備したポケットが付いた３本の紐である。【００１２】  空気の重さはヘリウムガスの重さに比べ約９倍で十分大きいとして考える。このため、このように構成した空中浮遊装置の浮遊力は、ほぼ１気圧状態での空気中での風船の浮力に起因し、ほぼ風船の体積の空気の重さから浮き輪のビニールと固定装置とポケットの重さを差し引いた力である。風船の体積の空気の重さは約６０ｇとなり、浮き輪のビニールと固定装置とポケットの重さを約２５ｇとすると、空中浮遊装置の浮遊力は約３５ｇである。ただしここでの数値は発明の内容を説明するための概算であり、実施時にはその時点で空気やビニールや錘着脱装置等の重さに基づいて設計される。【００１３】  浮遊させる任意の物１０１として約３０ｇの花を用いる場合、錘は全部で約５ｇいれることになる。花をひもで浮き輪の形状の中央に固定し、３個のポケットに錘をいれて、全体の重さが例えば約０．１ｇ以下になるように、かつバランスが整うように個々のポケットの重さを調節する。このように調節した空中浮遊装置を、結婚式場などのホールで浮遊させ、室内の温度や空気の流れを制御することで浮遊移動させ、花を観賞する。【００１４】  本発明の図１に示す実施例の空中浮遊装置は、外径、内径、高さが異なる形状を幾つか用意することで、浮遊力が異なるものを作成することができる。ここでは、おおよその浮遊力と、その材料の重さを述べたが、これらは厳密な計算ではなく、最終的に任意の物１０１を含めて錘で調整すればよいので、浮遊力が異なるように空中浮遊装置の大きさを幾つか用意しておき、任意の物１０１の重さによって空中浮遊装置の大きさを選ぶことで簡単に実施できる。【００１５】  本発明の実施例１の空中浮遊装置では、固定装置として、軽くて長いひもを用いたが、これは任意の物１０１を固定できればよいので、軽くて長いマジックテープでもよく、任意の物１０１の形状や性質によって、使いわける。また小さな箱や袋状のものを利用してもよい。【００１６】  本発明の実施例１の空中浮遊装置では、錘着脱装置としてポケットを装備した構成を示したが、本発明は特にその構成には依存しない。例えば、錘が固定しやすい形状であれば１５ｃｍ程度の軽くて強い紐でもよい。【００１７】  本発明の図１に示す空中浮遊装置を花の展示装置として使用する場合、任意の物１０１として３０ｇ以下の花を用いマジックテープでできる限り上から見て中央にて固定し、空中浮遊装置全体の空気中の重さを例えば０．１ｇになるように３個の錘着脱装置であるポケットに入れる全体の錘の重さを決定しかつ全体の錘の重さ約５ｇを分割して３個の個々のポケットに入れて浮遊姿勢がよくなるように調整する。このように調整すれば、花が室内温度分布や室内空気の流れにそって浮遊移動し、幻想的な展示���可能となる。【００１８】  本発明の図２に実施例２の空中浮遊装置を示す。図２の空中浮遊装置は、最も単純な構成で、正面から見てほぼ三角な風船に、固定装置の紐と錘着脱装置であるポケットを装備した構成のものである。【００１９】  本発明の図３に実施例３の空中浮遊装置を示す。図３の空中浮遊装置は、図２の空中浮遊装置の上部の両脇に、相互に接続するための接続装置３３０を具備した構成のものである。例えば、この構成のものを３個相互に接続して、１個の大きな空中浮遊装置を構成することができる。３個の風船を上から見て点対称に接続して、上から見て外側に錘着脱装置として３個のポケットを装備して、上から見て内側に３個のひもを固定装置として装備して構成した空中浮遊装置である。もちろんより多くの図３の空中浮遊装置を相互に接続すれば、より大きな空中浮遊装置を構成できる。【００２０】  ３３０の接続装置としては、マジックテープや軽量な紐で構成してもよく、軽量で接続できれは使用できる。。【００２１】  本発明の図１に示す空中浮遊装置を輪投げとして使用して遊ぶ場合、図１の空中浮遊装置を浮遊させる任意の物１０１を装備しないで、空中浮遊装置全体の空気中での重さもゆっくりだが落下する程度に調整する。例えば浮遊装置全体の空気中での重さを３グラムになるようにポケットの錘を調整する。これを投げるには、固定装置のひもを持ち投げ輪を回転させてそっと的めがけて押し出す。空中浮遊装置は、ゆっくりと漂って的に向かって飛んで行き、狙いがよければ的の棒にはいる。もちろん、回転させないで投げてもよいが、飛んでいく姿勢が不安定になる場合がある。【００２２】  遊びとしては、通常の輪投げと同様に何回か投げて、的に入れる回数を競うことができる。また、この輪投げとして用いる場合の空中浮遊装置は、数秒以上かかって的に向かって飛んでいくため、途中に団扇などで扇ぐことで飛ぶ方向を制御することができる。【００２３】  図１に示す空中浮遊装置の錘着脱装置であるポケットを、上から見て投げ輪の水平に対して斜めに取り付けておき、投げ輪を回転させて投げることで上昇力が得られ、長時間の浮遊時間を得ることができる。
【産業上の利用可能性】
【００２４】  この空中浮遊装置を使用して、軽量なポスターなどを掲示して、多くの展示場で利用できる。また、結婚式場などでは、花籠を空中に浮遊させ、空気の温度や空気の流れを制御して、新郎新婦の周りを周回せて、場の雰囲気を盛り上げることができる。【００２５】  この空中浮遊装置を投げ輪として使用して、いくつかの的を用意して的に投げ輪が入れば得点とすれば、投げ輪競技ができる。この競技は、投げ輪が軽くかつ浮遊期間が長いため、多くの体力や力の小さな人々が参加できるスポーツとして使用できる。
【図面の簡単な説明】
【００２６】
【図１】本発明の実施例１である空中浮遊装置の構成図。
【図２】本発明の実施例２である空中浮遊装置の構成図。
【図３】本発明の実施例３である空中浮遊装置の構成図。
【符号の説明】
【００２７】１００はビニール等の軽量な薄い膜で構成された風船、
１０１は任意の物、
１１０は固定装置の機能である紐、
１２０は錘の着脱装置機能であるポケットを持つ紐、
２００はビニール等の軽量な薄い膜で構成された風船、
２１０は固定装置の機能である紐、
２２０は錘の着脱装置機能であるポケットを持つ紐、
３３０は空中浮遊装置どうしを相互に接続する機能である接続装置。
【図１】
2007160026.tif 000003
【図２】
2007160026.tif 000004
【図３】
2007160026.tif 000005